(57)【要約】      （修正有）【課題】再使用袋の使用の有効な推進手段となり、環境保護を着実化させることができる、一種の再使用袋を用いた擬似菓子飾り物を提供する。【解決手段】一端に開口部１１を有し、収納空間が内設された容器を備えた収納具１０と、収納具１０の収納空間に対応して設けられ、折り畳み手段により、たとえばカップ状またはバケツ状の擬似菓子飾り物の個体に形成される再使用袋２０と、収納具１０の開口部１１に対応させ、開口部１１を密閉する蓋体、または、収納具１０と再使用袋２０とを収納する袋体に形成された囲い部４０とを含む。【選択図】図２
0003163770.tif 000002
【実用新案登録請求の範囲】
【請求項１】
擬似菓子飾り物であって、
一端に開口部を有し、収納空間が内設された容器を備えた収納具、
前記収納具の前記収納空間に対応して設けられ、折り畳み手段により前記擬似菓子飾り物の個体に形成される再使用袋、および
前記収納具の前記開口部に対応させ、前記開口部を密閉する蓋体に形成された囲い部を含む、擬似菓子飾り物。
【請求項２】
前記再使用袋の内部に敷かれる敷物をさらに含み、
前記再使用袋は、らせん状に折り畳まれることを特徴とする、請求項１に記載の擬似菓子飾り物。
【請求項３】
前記再使用袋に設けられる係着部、および
前記係着部に対応する留め具が設けられた収納袋をさらに含み、
前記係着部と前記留め具とを係着させた状態で、前記再使用袋と併せて前記収納袋が、前記擬似菓子飾り物の個体に折り畳まれることを特徴とする、請求項２に記載の擬似菓子飾り物。
【請求項４】
前記収納具は、紙製またはプラスチック製であることを特徴とする、請求項３に記載の擬似菓子飾り物。
【請求項５】
前記擬似菓子飾り物の個体の外観は、ケーキ、パン、チョコレートまたはソフトコーンであることを特徴とする、請求項４に記載の擬似菓子飾り物。
【請求項６】
擬似菓子飾り物であって、
一端に開口部を有し、収納空間が内設された容器を備えた収納具、
前記収納具の前記収納空間に対応して設けられ、折り畳み手段により前記擬似菓子飾り物の個体を形成する再使用袋、および
前記収納具と前記再使用袋とを収納する袋体に形成された囲い部を含む、擬似菓子飾り物。
【請求項７】
前記再使用袋の内部に敷かれる敷物をさらに含み、
前記再使用袋は、らせん状に折り畳まれることを特徴とする、請求項６に記載の擬似菓子飾り物。
【請求項８】
前記再使用袋に設けられる係着部、および
前記係着部に対応する留め具が設けられた収納袋をさらに含み、
前記係着部と前記留め具とを係着させた状態で、前記再使用袋と併せて前記収納袋が、前記擬似菓子飾り物の個体に折り畳まれることを特徴とする、請求項７に記載の擬似菓子飾り物。
【請求項９】
前記収納具は、紙製またはプラスチック製であることを特徴とする請求項８に記載の擬似菓子飾り物。
【請求項１０】
前記擬似菓子飾り物の個体の外観は、ケーキ、パン、チョコレートまたはソフトコーンであることを特徴とする、請求項９に記載の擬似菓子飾り物。
【考案の詳細な説明】
【技術分野】
【０００１】
本考案は、擬似菓子飾り物に関し、特に、一種の擬似菓子飾り物の形成手段と包装外形の再使用袋を利用した擬似菓子飾り物の製品に関する。
【背景技術】
【０００２】
現在は、市場またはインターネット、さらに販売チャンネルから多くの花柄のタオルと様々なタオル製品が見られる。特に、単純そうな簡単なタオルは、円形、矩形、三角形、円錐形、棒形、三日月形、扇形、不規則形のいちごケーキ、チーズケーキ、レイヤケーキ、クリームケーキ、クリームケーキロールなど、様々なケーキ模様に折り畳んで変化させることができる。これらの様々なケーキ模様に折り畳まれて形成されたタオルケーキなどは、贈り物にするほか、家庭の飾り物にすることもできるため、とっても実用的な贈り物である。
【考案の概要】
【考案が解決しようとする課題】
【０００３】
この種の包装に擬似菓子飾り物を組み込むことによって、タオルの付加価値を高めることは創意豊かな技術手段である。しかし、公知技術はタオル以外に応用されていないことはちょっと残念である。一方、環境保護を着実化させるため、各国とも再使用袋の使用が呼びかけられているが、有効な推進手段がなく、利用が余り多くないのが現状である。このため、考案者は、一種の再使用袋を用いた擬似菓子飾り物を考案し、公知技術の欠点を改善することをもって、産業上の実施使用の向上を図る。
【課題を解決するための手段】
【０００４】
前述公知技術の不足点について、本考案よって斬新な構造を有する擬似菓子飾り物を提案し、公知技術の欠点の克服を図る。
前記目的を達成するため、本考案の擬似菓子飾り物は、主に以下の技術手段を有する。
すなわち、本考案は、一端に開口部を有し、収納空間が内設された容器を備えた収納具と、収納具の収納空間に対応して設けられ、折り畳み手段により、たとえばカップ状またはバケツ状の擬似菓子飾り物の個体に形成される再使用袋と、収納具の開口部に対応させ、開口部を密閉する蓋体に形成された囲い部とを含む、擬似菓子飾り物である。
また、本考案は、上記した再使用袋の内部に敷かれる敷物をさらに含み、再使用袋は、らせん状に折り畳まれることを特徴とする、擬似菓子飾り物である。
さらに、本考案は、上記した再使用袋に設けられる係着部と、係着部に対応する留め具が設けられた収納袋とをさらに含み、係着部と留め具とを係着させた状態で、再使用袋と併せて収納袋が、擬似菓子飾り物の個体に折り畳まれることを特徴とする、擬似菓子飾り物である。
さらに、本考案は、上記した収納具が、紙製またはプラスチック製であることを特徴とする、擬似菓子飾り物である。
本考案の上述した各擬似菓子飾り物において、囲い部は、収納具の開口部に対応させ、開口部を密閉する蓋体に形成されたものだけでなく、当該囲い部は、収納具と再使用袋とを収納する袋体に形成されたものも含まれ、囲い部は、収納具に収納されている再使用袋の不用意の抜け出しまたは取り出しを防止する。
【考案の効果】
【０００５】
本考案による再使用袋と擬似菓子飾り物の外観との組合せは、外観が精緻で素敵なギフトになるほか、再使用袋の用途拡大に寄与できる。一方、再使用袋の内部に敷物を敷くことで、折り畳んで形成される擬似菓子飾り物の個体に立体感を浮き彫りにすることができる。さらに、使用者が平時に再使用袋を収納するための収納袋を付けて、使用の利便性を高めることができる。
【０００６】
この考案の上述の目的，その他の目的，特徴及び利点は、図面を参照して行う以下の考案を実施するための最良の形態の詳細な説明から一層明らかとなろう。
【図面の簡単な説明】
【０００７】
【図１】本考案の擬似菓子飾り物品の外観図である。
【図２】本考案の擬似菓子飾り物品の外観分解図である。
【図３】本考案の擬似菓子飾り物品の分解図である。
【図４】本考案の擬似菓子飾り物品の変形実施態様の外観図（その一）である。
【図５】本考案の擬似菓子飾り物品の変形実施態様の外観図（その二）である。
【図６】本考案の擬似菓子飾り物品の変形実施態様の外観図（その三）である。
【図７】本考案の擬似菓子飾り物品の変形実施態様の外観図（その四）である。
【考案を実施するための形態】
【０００８】
審査官が本考案の創作特徴、内容と長所および達成できる効果の理解を図るため、本考案の図面と実施形態を以下の通り説明する。そのうち、使用される図面は実施態様と補助説明することを目的であり、本考案を実施するときの実際比例と寸法と異なることがあり得る。本考案の図面と配置関係によって本考案の範疇は制限されないものである。
[実施例]
【０００９】
図１〜図３を参照する。本考案の擬似菓子飾り物は、収納具１０と、再使用袋２０と、収納袋３０と、囲い部４０とを備える。
【００１０】
収納具１０の一端に開口部１１を有し、その内部に収容空間を備える容器を内設する。容器はたとえば、紙製またはプラスチック製である。
【００１１】
再使用袋２０に係着部２１を設け、当該再使用袋２０の袋体の内部はたとえば、スポンジシートのような敷物２２を敷かれ、折り畳み手段により、らせん状分布の擬似菓子飾り物の個体を形成する。擬似菓子飾り物の個体を収納具１０の収納空間内部に対応させ、パン、チョコレート、ソフトコーン等のカップ状またはバケツ状の擬似菓子飾り物を形成する。
【００１２】
収納袋３０に再使用袋２０の係着部２１に対応された留め具３１を設け、収納袋３０を再使用袋２０に対応して折り畳み、再使用袋２０と併せて擬似菓子飾り物の個体に折り畳む。
【００１３】
囲い部４０は、収納具１０の開口部１１に対応させて密閉させる蓋体、または、収納具１０と再使用袋２０を収納する袋体に形成され、収納具１０内部の再使用袋２０の不用意の抜け出しまたは取り出しを防止する。
【００１４】
引き続き、図４〜図７を参照する。本考案の収納具１０Ａ、１０Ｂ、１０Ｃ、１０Ｄと囲い部４０Ａ、４０Ｂ、４０Ｃ、４０Ｄの様々な外観の実施態様とスタイルの実施態様は、ほかに多くの変化と組合せは可能であり、すべてを本考案の請求範囲に含めるものである。
【００１５】
本考案の主旨は、再使用袋２０と擬似菓子飾り物の外観と組合せることによって、精緻なギフトになるほか、自治体による再使用袋２０の使用の呼びかけに対応して支援することができ、生態環境の保護に貢献できる。再使用袋２０の内部に敷物２２を敷くことにより、擬似菓子飾り物の個体の外形の美観が向上し、菓子実物のようなふわふわした感じを有するものとなる。さらに、再使用袋２０に収納袋３０を付けることで、平時による再使用袋２０の収納に寄与し、利便性が向上され、本考案の拡大使用に役立つ。
【００１６】
以上に説明したように、本考案は従来技術の技術を超え、向上効果を確実に達成突破しており、同一分野の技術者が容易に思いつく方法ではなく、国内外で未だ公開されていない技術であり、新規性、進歩性及び産業上の利用可能性という三つの要件を満たしている。よって、法により実用新案を出願する。
【００１７】
以上に説明した実施例は、本考案の技術思想と特徴を説明しているが、その目的はこの種の技術に詳しい当業者が本考案の内容を知り得て実施するところであり、本考案の実施例の範疇に制限を加えるものではなく、本考案による数値的な変更又は同等効果を有する要素の置き換え、若しくは本考案の実用新案登録請求の範囲による変更又は修正とも本考案の範疇に含まれる。
【符号の説明】
【００１８】
１０，１０Ａ，１０Ｂ，１０Ｃ，１０Ｄ収納具
１１  開口部
２０  再使用袋
２１  係着部
２２  敷物
３０  収納袋
３１  留め具
４０，４０Ａ，４０Ｂ，４０Ｃ，４０Ｄ  囲い部
【図１】
0003163770.tif 000003
【図２】
0003163770.tif 000004
【図３】
0003163770.tif 000005
【図４】
0003163770.tif 000006
【図５】
0003163770.tif 000007
【図６】
0003163770.tif 000008
【図７】
0003163770.tif 000009